(57)【要約】【課題】照明器具として、機能や性能を充分に具備すると共に、用済後はリサイクル処理が容易であり、解体作業が容易であって、樹脂を再使用することが可能となる照明器具を提供すること。【解決手段】光に対して高い反射性能を有する部品（高反射性部品）、光透過性に優れ、光源の明るさを低下させることが少ない部品（高輝度性部品）、および、光源用部品からなる照明器具であって、該高反射性部品には、反射率：９０％以上を有するポリカーボネイト系樹脂を用い、高輝度性部品には、全光線透過率：３０％以上を有するポリカーボネイト系樹脂を用いたことを特徴とする照明器具。【選択図】　　　なし【特許請求の範囲】
【請求項１】
光に対して高い反射性能を有する部品（高反射性部品）、光透過性に優れ、光源の明るさを低下させることが少ない部品（高輝度性部品）、および、光源用部品からなる照明器具であって、該高反射性部品には、反射率：９０％以上を有するポリカーボネイト系樹脂を用い、高輝度性部品には、全光線透過率：３０％以上を有するポリカーボネイト系樹脂を用いたことを特徴とする照明器具。
【請求項２】
高反射性部品に使用するポリカーボネイト系樹脂が、ポリカーボネイトに白色顔料を加えたものである請求項１に記載された照明器具。
【請求項３】
高輝度性部品に使用するポリカーボネイト系樹脂が、ポリカーボネイトに光拡散剤を加えたものである請求項１または請求項２に記載された照明器具。
【請求項４】
高反射性部品、高輝度性部品および光源用部品が天井に埋め込まれてダウンライトを形成する請求項１〜請求項３のいずれか１項に記載された照明器具。
【請求項５】
高反射性部品、高輝度性部品および光源用部品が天井の表面に取り付けられているシーリングライトを形成する請求項１〜請求項３のいずれか１項に記載された照明器具。
【請求項６】
高反射性部品、高輝度性部品および光源用部品によりペンダントライトを形成する請求項１〜請求項３のいずれか１項に記載された照明器具。
【発明の詳細な説明】
【０００１】
【発明の属する技術分野】
本発明は、照明器具に関し、さらに詳しくは、リサイクルが容易に行える照明器具に関する。
【０００２】
【従来の技術】
従来から、照明器具には種々の形態があり、複雑な形のものも多く、このため、これらの照明器具には種々の材料が使用されてきた。すなわち、これらの材料の主なものは、金属、ガラス、プラスチックがあり、金属では主としてスティール、アルミなどが使用され、プラスチックでは、ＰＢＴ（ポリブチレンテレフタレート）、ＰＥＴ（ポリエチレンテレフタレート）、ＰＭＭＡ（ポリメチルメタアクリレート）、ＰＣ（ポリカーボネイト）、ＰＳ（ポリスチレン）などの樹脂が使用されていた。これらの材料は、それぞれの部品に要求されるさまざまな性能（すなわち、機械的特性、耐熱性、耐光性、帯電防止性、高反射性、光透過性など）や照明器具としての審美的な要求に合わせて使い分けられていた。
【０００３】
しかしながら、近年では、電気器具は勿論のこと、住宅関連の部材にもリサイクルを行うことが要求されるようになってきた。照明器具においても、リサイクルを行うことが求められているが、前記のような種々の材料が使用されているためリサイクルの作業を困難なものにしている。
【０００４】
例えば、現在よく使用されている照明器具であるシーリングライトでは、天井と照明器具の間に本体ハウジングとして鉄製の板金が使用され、さらに蛍光灯などの光源を覆うプラスチック製の乳白色のグローブによりカバーされている。このシーリングライトをリサイクル処理する場合には、光源用部品、さらに、本体ハウジングの板金とプラスチック製のグローブはそれぞれ解体分離され、回収される必要がある。また、鉄やアルミなどの金属枠にガラスをはめ込み、該金属枠とガラスにより光源を取り囲むランプ型の照明器具がある。これらの照明器具では、光源用部品の他に、リサイクルのためには金属枠とガラスを解体し別々に回収する必要がある。このように照明器具の多くは、種々の材料からなる細かい部品が多く使用されているので、照明器具を解体し、それぞれの材料ごとに分別回収するには多くの手間と時間が必要であり、特に、集合住宅等の大規模な建造物の取り壊し作業では、照明器具を材料ごとに分別回収するには莫大な手間と時間が必要になり、リサイクルの推進には大きな問題となっている。
【０００５】
【発明が解決しようとする課題】
本発明の目的は、かかる従来からの問題点を解決し、照明器具としての機能や性能を充分に発揮すると共に照明器具としての使用が終了した時に行うリサイクル処理、すなわち、解体、回収作業を容易に行うことが出来る照明器具を提供することである。
【０００６】
【課題を解決するための手段】
前記の課題は、光に対して高い反射性能を有する部品（高反射性部品）、光透過性に優れ、光源の明るさを低下させることが少ない部品（高輝度性部品）、および、光源用部品からなる照明器具であって、該高反射性部品には、反射率：９０％以上を有するポリカーボネイト系樹脂を用い、高輝度性部品には、全光線透過率：３０％以上を有するポリカーボネイト系樹脂を用いたことを特徴とする照明器具とすることにより解決される。
【０００７】
【発明の実施の形態】
以下、本発明を詳細に説明する。
【０００８】
本発明で使用する高反射性部品に使用するポリカーボネイト系樹脂は、ポリカーボネイトに添加剤として白色顔料を０．１〜３０重量％の範囲で加えて得ることが出来る。該白色顔料の種類としては、酸化チタンなどの無機顔料を使用するものが好ましく例示される。このような白色顔料の混合割合が０．１重量％未満の場合には、高反射率および光の十分な遮蔽効果が得られないので好ましくない。逆に、該白色顔料の混合割合が３０重量％を超える場合には、衝撃強度、熱安定性等の低下があり好ましくない。このような高反射性部品は、９０％以上の反射率を有するものが好ましく使用される。
【０００９】
なお、本発明で使用する反射率は、下記の方法により測定したものを使用する。
（ａ）見本板の作成：試験片に使用する樹脂を用いて、射出成形機［住友重機械工業（株）製ＳＧ−１５０Ｕ］により、シリンダー温度：２８０℃、金型温度：８０℃の条件で厚さ：２ｍｍの見本板を成形する。
（ｂ）光線反射率の測定：マクベス社製のカラーアイＭＳ２０２０ＰＵＬＳにより、前記の厚さ：２ｍｍの見本板を使用し、波長：４５０〜８００ｎｍにおける最も低い反射率の値を反射率として用いる。
【００１０】
次に、本発明に使用する高輝度性部品は、透明、若しくは、半透明または乳白色などの不透明なものが使用される。不透明な部品は、この材料を介して光源を見た場合に、光源の位置が全くわからないような高散乱性の性能を有するものであってもよい。このような高輝度性部品には、高反射性部品と同様にポリカーボネイト系樹脂を使用する必要がある。すなわち、この部品に他の素材からなる樹脂等を使用した場合には、照明器具の使用が終了し、廃棄処理をする際にリサイクルの工程で各部品ごとに分別の作業等が必要になりリサイクル作業が複雑になり好ましくない。
【００１１】
本発明で使用する高輝度性部品は、前記のようにポリカーボネイト系樹脂を使用するが、このうち乳白色などの不透明なものを使用するには、ポリカーボネイト樹脂に光拡散剤を加えたものを使用することが出来る。該光拡散剤としては、無機粒子および有機粒子のいずれもが使用可能であり、該光拡散剤の混合割合は、ポリカーボネ−ト系樹脂に対し０．００５〜２０重量％の範囲で使用するものが例示される。該光拡散剤が、０．００５重量％未満では、部品の不透明性が充分でなく、または、充分な拡散性や散乱性が得られない恐れがあり、逆に、該光拡散剤が２０重量％を超える場合には、光透過性が低下し照明器具の部品には使用出来ない恐れがある。このように光拡散剤を０．００５〜２０重量％の範囲で使用したポリカーボネイト系樹脂は、全光線透過率：３０％以上の性能が得られ、本発明で使用する高輝度性部品として好適に使用される。
【００１２】
なお、本発明で使用する全光線透過率は、以下の方法により測定する。
（ａ）試験片の作成：試験片となる樹脂を用いて、射出成形機［東芝機械（株）製：ＩＳ−１５０ＥＮ］により、シリンダー温度：３００℃、金型温度：１００℃の条件で、一辺の長さ：１５０ｍｍ、厚み：２ｍｍの平板状試験片を成形する。
（ｂ）全光線透過率の測定：村上色彩技術研究所（株）製のヘーズメーター［ＨＲ−１００］を使用して、前記平板状試験片の厚み方向の透過率（全光線透過率）をＡＳＴＭ　Ｄ１００３に従い測定する。
【００１３】
また、本発明に用いる光源用部品とは、白熱灯や蛍光灯などの光源、該光源に電気を供給する配線、蛍光灯の場合に使用する安定器やグロー球、スウィッチなどを含むものであり、これらの光源用部品には従来から使用されている公知のものを用いることができる。
【００１４】
図により本発明をさらに詳細に説明する。
【００１５】
図１は、天井に埋め込まれたダウンライトの例を示す断面図である。図１において、２は高反射性部品を示し、該高反射性部品は、添加剤として有機系化合物で表面処理された酸化チタンを１０重量％加えたポリカーボネイト系樹脂からなり、９４％の反射率を示すものである。従来は、この高反射性部品には、金属などが使用されていたが、本発明ではこのように高反射率を有するポリカーボネイト系樹脂からなる部品を用いたものである。
【００１６】
さらに、図１において、３は透明なポリカーボネイト系樹脂からなる高輝度性部品であり、該高輝度性部品の全光線透過率は４０％以上であった。なお、図１において、１は光源となるランプを、４はダウンライトを取り付ける部材を５は天井を示す。
【００１７】
図２は、天井の表面に取り付けられたシーリングライトの例を示す断面図である。図２において、２は高反射性部品を示す。従来はグローブ３と天井５との間には金属の板金が使用されてきたが、本発明では、該板金に代えて図１に示したダウンライトの高反射性部品と同じ材質からなるポリカーボネイト系樹脂からなる部品を用いたものである。
【００１８】
さらに、図２において、グローブ３は乳白色のポリカーボネイト系樹脂からなる高輝度性部品であり、該乳白色のポリカーボネイト系樹脂は、ポリカーボネイトに添加剤として有機粒子を０．５〜２．０重量％の範囲で加えて得たものであり、該高輝度性部品の全光線透過率は４５％以上であった。なお、図２において、１は光源となる蛍光灯を、５は天井を示す。
【００１９】
図３は、ペンダント型ライトの例を示す断面図である。図３において、２は高反射性部品を示し、該高反射性部品は、添加剤として特定の有機系化合物で表面処理された酸化チタン：１０重量％を加えたポリカーボネイト系樹脂からなり、９６％の反射率を示すものである。また、３は図２に示したシーリングライトで使用したグローブと同じ材質の乳白色のポリカーボネイト系樹脂からなる高輝度性部品であって、光源１が直接見えないように光を拡散させるものである。なお、５は天井を示す。
【００２０】
【発明の作用】
以上述べたように、本発明は照明器具を構成する反射用部品（高反射性部品）と光源をカバーする部品（高輝度性部品）が共にポリカーボネイト系樹脂からなるために、該照明器具の使用が終了して廃棄処理をする際には、光源用部品とそれ以外の部品とに分別するだけでよく、高反射性部品と高輝度性部品を分別する必要がなく同一素材として回収することができ、回収されたポリカーボネイト系樹脂は、別の用途に再使用することが出来る。
【００２１】
ポリカーボネイト系樹脂は、元来、耐熱性や耐光性に優れた素材であるが、ポリカーボネイトに特殊な添加剤を加えることにより、高い反射率を有するものに変えることができ、耐光性が優れているために長時間紫外線に暴露されても劣化が起こり難く光耐久性にも優れたものである。
【００２２】
さらに、ポリカーボネイト系樹脂は透明な素材を得ることは勿論、前記とは別の添加剤を加えることにより、光の拡散性や散乱性が優れている上に光透過性にも優れた素材を得ることができ、乳白色の着色を施しても光源の輝度を低下させることが少ない、優れた高輝度性部品を供することができる。
【００２３】
一方、従来から照明器具に使用されているＰＢＴ系のポリエステル樹脂では、不透明であるため光透過性が低く、高輝度性部品に使用するには不適切であり、一方、透明性に優れたＰＭＭＡ系のアクリレート樹脂では、耐熱性が不良であるために高反射性部品に使用するには不適切であり、従来は、他の樹脂からなる部品と組み合わせて使用されてきた。このために、廃棄処理に際しては、それぞれの樹脂に分別する必要があり、同一素材からなる本発明の照明器具と比べて、リサイクルが容易に行えるのもではなかった。
【００２４】
【発明の効果】
地球環境を守るために、リサイクルの必要性や重要性がますます増加すると思われるが、本発明の照明器具はこのようなニーズに対応するものであり、有望な製品としての展開が期待される。
【図面の簡単な説明】
【図１】天井に埋め込まれたダウンライトの例を示す断面図である。
【図２】天井の表面に取り付けられたシーリングライトの例を示す断面図である。
【図３】ペンダント型ライトの例を示す断面図である。
【符号の説明】
１　光源を示す。
２　高反射性部品を示す。
３　高輝度性部品を示す。
【図１】
2004119093.tif 000002
【図２】
2004119093.tif 000003
【図３】
2004119093.tif 000004